(57)【要約】【課題】装飾紐が外れないようにする。【解決手段】舞扇１の親骨２の先端部に、その親骨２の長さ方向に直交し、且つ扇面に沿う貫通孔４を形成し、その貫通孔４に支持軸５を挿通して軸周りに回転可能に支持する。その支持軸５に係止具７を介して複数本の装飾紐１０を取り付けたのである。このようにすれば、装飾紐１０によって親骨２に作用する引張り力は、支持軸５の回転方向へと逃げるので、その取付部が緩んで外れてしまうことがない。したがって、装飾紐１０が親骨２から外れないようにし得る。舞扇１を回転させると、その回転の遠心力により、前記支持軸が貫通孔内で軸周り回転することにより外側方向へとなびきやすくなるので、より華やかな雰囲気を演出することができる。さらに、前記係止具を、前記支持軸に対しその軸方向に沿って回転可能とすれば、装飾紐は、その扇面の弧状縁に沿う方向へと揺動しやすくなり、さらに華やかな雰囲気を演出することができる。【選択図】図１
0003110390.tif 000002
【実用新案登録請求の範囲】
【請求項１】
舞扇１の親骨２に装飾紐１０を取り付けたことを特徴とする舞扇。
【請求項２】
前記装飾紐１０は、両側の前記親骨２に取り付けられることを特徴とする舞扇。
【請求項３】
前記装飾紐１０は、前記親骨２の先端部に取り付けられることを特徴とする請求項１又は２に記載の舞扇。
【請求項４】
前記親骨２に支持軸５をその軸周りに回転可能に支持し、前記装飾紐１０は、その支持軸５を介して前記親骨２に取り付けられることを特徴とする請求項１又は２に記載の舞扇。
【請求項５】
前記親骨２に支持軸５をその軸周りに回転可能に支持し、前記装飾紐１０は、その支持軸５を介して前記親骨２に取り付けられることを特徴とする請求項３に記載の舞扇。
【請求項６】
前記親骨２に、その親骨２の長さ方向に交差する向きの貫通孔４を形成し、前記支持軸５はその貫通孔４に挿通されて、その貫通孔４の周面によって前記支持軸５を軸周りに回転可能に親骨２に支持することを特徴とする請求項４に記載の舞扇。
【請求項７】
前記親骨２に、その親骨２の長さ方向に交差する向きの貫通孔４を形成し、前記支持軸５はその貫通孔４に挿通されて、その貫通孔４の周面によって前記支持軸５を軸周りに回転可能に親骨２に支持することを特徴とする請求項５に記載の舞扇。
【請求項８】
前記貫通孔４は、前記舞扇１の扇面６に沿う方向に形成されることを特徴とする請求項６に記載の舞扇。
【請求項９】
前記貫通孔４は、前記舞扇１の扇面６に沿う方向に形成されることを特徴とする請求項７に記載の舞扇。
【請求項１０】
前記支持軸５に係止具７を取り付け、その係止具７を、前記支持軸５に対しその軸方向に沿って回転可能とし、その係止具７に前記装飾紐１０が取り付けられることを特徴とする請求項６に記載の舞扇。
【請求項１１】
前記支持軸５に係止具７を取り付け、その係止具７を、前記支持軸５に対しその軸方向に沿って回転可能とし、その係止具７に前記装飾紐１０が取り付けられることを特徴とする請求項７に記載の舞扇。
【請求項１２】
前記支持軸５に係止具７を取り付け、その係止具７を、前記支持軸５に対しその軸方向に沿って回転可能とし、その係止具７に前記装飾紐１０が取り付けられることを特徴とする請求項８に記載の舞扇。
【請求項１３】
前記支持軸５に係止具７を取り付け、その係止具７を、前記支持軸５に対しその軸方向に沿って回転可能とし、その係止具７に前記装飾紐１０が取り付けられることを特徴とする請求項９に記載の舞扇。
【請求項１４】
前記支持軸５は環状金具１５の一部を成し、その環状金具１５の前記支持軸５部分が前記貫通孔４に挿通されて前記親骨２に支持されるようになっており、前記係止具７は、その環状金具１５に係合されることを特徴とする請求項１０乃至１３のいずれかに記載の舞扇。
【請求項１５】
前記環状金具１５は三角形を成し、前記支持軸５はその三角形の一辺を成すことを特徴とする請求項１４に記載の舞扇。
【考案の詳細な説明】
【技術分野】
【０００１】
この考案は、舞扇に関するものである。
【背景技術】
【０００２】
一般に、扇子は、各種儀式や芸能、装飾、あるいは招涼等の用途にも用いられ、その各用途に応じて、美観や機能性を高めた様々な態様のものが普及している。
特に、舞扇（まいおうぎ）と呼ばれる扇子は、舞踊、民謡等の分野で用いられ、その踊りにおいて、主として装飾効果、視覚効果を高める道具として利用されるのみならず、近年では、インテリアの装飾品としても用いられることもある。
【０００３】
その舞扇の扇面には、例えば、流派の紋であったり、あるいは、その舞台で表現される舞の曲目に合わせた図柄をあしらったものなどがあり、その模様、色彩等によって美観を追求したものとなっている。また、その扇面にあしらわれた図柄は、舞踊における踊りの表現、例えば、「風の流れ」、「水の流れ」等といった踊りの表現に対応したものとなっている場合もある。
【０００４】
ちなみに、舞扇ではないが、いわゆる飾用、儀式用の扇子としては、例えば、図６に示すように、扇子２１の親骨２２に、係止具２３を介して房と呼ばれる装飾紐２０を取り付けて、その装飾紐２０により、扇子の美観を表現したものがある。また、図６に示すほか、儀式用の扇子としては、古く宮中で用いられた檜扇（ひおうぎ）と呼ばれるものがある。檜扇の装飾紐は、概ね六色の紐からなり、その紐の束が親骨の先端に取り付けられて、「静的」な華やかさを演出している。
【考案の開示】
【考案が解決しようとする課題】
【０００５】
この舞扇を用いた従来の踊りは、扇子の扇面の模様、色彩等に基づく美観と、その扇子を持つ踊り手の動作との組合わせによる、いわば演出効果をねらったものである。しかしながら、その動きは単調であり、表現の華やかさに欠けるという問題があった。特に昨今は、旧来からの舞踊のみならず、他のカテゴリーの華やかな、あるいはテンポの良い音楽や踊り等と、舞扇による演出とを組み合わせた新しい分野の踊りが創作され、それらが広く人気を博している。
【０００６】
このような踊りの華やかさを求める場面において、従来の舞扇では、踊りの躍動感や動きのテンポの良さなど、その華やかさを表現することができなかったといえる。
【０００７】
そこで、この考案は、舞扇で踊りの華やかさを表現できるようにすることを課題とする。
【課題を解決するための手段】
【０００８】
上記の課題を解決するために、この考案は、舞扇の親骨に、儀式用の扇子や、あるいは上記檜扇のごとく装飾紐（房）を取り付けたのである。装飾紐を舞扇に取り付ければ、踊り手の動きとともにその装飾紐がなびいて、その装飾紐の動きは、踊り手の動きや扇子の動きの単調さに変化を与え、踊りの躍動感や、「動的」な華やかさを表現することができる。
【考案の効果】
【０００９】
この考案は、以上のようにしたので、舞扇で踊りの華やかさを表現することができる。
【考案を実施するための最良の形態】
【００１０】
上記手段の具体的実施形態としては、まず、舞扇の親骨に取り付ける装飾紐は、一方の親骨にのみ取り付けても華やかさを演出する効果があるが、両方の親骨に取り付ければその効果が高くなる。また、その装飾紐の取り付け位置は自由であるが、親骨の先端部に取り付ければ、装飾紐のなびく範囲が広くなるので、さらに華やかさの演出効果が高くなる。
【００１１】
つぎに、装飾紐の親骨への固定方法は、一般には、図６に示す儀式用の扇子２１のように、その紐２０を保持した係止具２３のねじ部２５を、親骨２２の孔２４にねじ止めしたものが一般的であるので、この種のねじ止めによる手法、あるいは糸による縫合、接着、その他の周知の取り付け方法を採用し得る。
【００１２】
しかし、この種の取り付け方法は、踊りの激しい動きには強度的に対応することができず、装飾紐が大きくなれば、その取付部が緩んで外れてしまうケースが多くなるという問題がある。親骨は細いため、ねじの径を大きくしたり、ねじ込み長さを長くしたり、あるいは縫合、接着の場合には、その縫合、接着に係る部分の面積を広くすることには限界があるからである。
【００１３】
そこで、親骨に設けた軸周り回転可能な支持軸でもって、前記装飾紐を親骨に取り付ければ、その装飾紐によって親骨に作用する引張り力の一部は、支持軸の回転方向へと逃げる。このため、支持軸は、その親骨への取付部に大きな力を作用させないので、その取付部が緩みにくく、また外れにくい。したがって、装飾紐が親骨から外れないようにし得る。また、支持軸が回転することにより、装飾紐がなびきやすくなるとともに、そのなびく範囲も広くなるので、踊りの華やかさを演出するには好ましいといえる。
【００１４】
前記支持軸を用いた具体的な構成としては、前記親骨に、その親骨の長さ方向に交差する向きの貫通孔を形成し、その貫通孔に支持軸を挿通して、その貫通孔の周面によって前記支持軸を軸周りに回転可能に支持するとともに、その支持軸を介して、前記親骨に前記装飾紐を取り付けたものである。このようにすれば、支持軸は孔を貫通しその周面で親骨に支持されるとともに、その孔の両端、すなわち親骨の端面で抜け止め等の措置を施しておけば、安定して取り付けられる。また、安定して回転させることができる。
【００１５】
また、前記貫通孔を、舞扇の扇面に沿う方向に形成すれば、踊り手が扇の要の部分を手に持って、その要の部分を中心に舞扇を回転させると、その回転によって装飾紐に作用する遠心力により、前記支持軸が貫通孔内で軸周り回転する。このため、装飾紐は、舞扇の要部分を中心に外側方向へとなびきやすくなる。装飾紐がなびきやすくなれば、その装飾紐の動きにより、踊り手は、より華やかな雰囲気を演出することができる。この効果は、支持軸の取り付け位置が、親骨の先端部にあればより高いといえる。
【００１６】
さらに、前記支持軸に係止具を取り付け、その係止具を、前記支持軸に対しその軸方向に沿って回転可能とし、その係止具に前記装飾紐を取り付ければ、装飾紐は、舞扇の外側方向へとなびいた状態において、その軸方向に沿って、すなわち扇面の弧状縁に沿う方向へと揺動しやすくなる。このため、装飾紐の動きの方向がより多様化するので、踊り手は、さらに華やかな雰囲気を演出することができる。この効果は、支持軸の取り付け位置が、親骨の先端に向かうほど高いといえ、また、その支持軸が親骨の先端部にあれば、係止具が扇面の弧状縁よりも外側に位置しやすくなり、その係止具の支持軸に対する回転の自由度が高くなるので、効果は、さらに高くなるといえる。
【００１７】
なお、支持軸の具体的な構成としては、その支持軸を環状金具の一部を成すようにし、その環状金具の前記支持軸部分が前記貫通孔に挿通されて前記親骨に支持されるようにする。そして、その係止具を、環状金具に係合するようにした構成を採用し得る。
【００１８】
また、その環状金具の環状部分が三角形を成すものとし、前記支持軸はその三角形の一辺を成すようにしてもよい。このようにすれば、係止具が、支持軸の対向部分、すなわち支持軸に対向する鋭角部分に係合されて、支持軸の軸方向に沿って回転しやすくなる。このため、装飾紐がよりスムースになびくようになる。
【実施例】
【００１９】
一実施例を図１乃至図５に基づいて説明する。図１は、この実施例の舞扇１を示し、その骨組みは、左右の親骨２，２と、その両親骨２，２間に配置される複数本の中骨９とからなり、その両端の親骨２，２と両親骨間に配置される各中骨９とは、要３の部分に挿通した軸で一体に支持されている。
【００２０】
この骨組みに取り付けられる扇面６は、図１に示すように、山折り部８ａと谷折り部８ｂとを交互に等間隔で形成して蛇腹状に形成されており、中骨９は、その扇面６の隣り合う前記山折り部８ａと谷折り部８ｂに挟まれた部分の中程に固定されている。さらに、親骨２は、その扇面６の両端部の母線に近い部分に固定される。
この舞扇１は、使用時には図１に示すように開くことができ、また、保管時には図３に示すように折り畳むことができる。また、扇面６の素材は、紙地であってもよいし、絹地や布地を用いることもできる。
【００２１】
その舞扇１の両親骨２，２の先端部に、その各親骨２，２の長さ方向に直交する向きで、且つ前記扇面６に並行な向きの貫通孔４を形成する。親骨２は、図３に示すように、その貫通孔４が形成可能な程度の肉厚ｔを有している。
【００２２】
その貫通孔４に支持軸５が挿入される。支持軸５は、図５に示すように、三角形の形状を有する環状金具１５の一辺を成し、その一辺中程の対向部５ａ，５ａで軸方向に分割されている。その分割された各支持軸５，５は、それぞれ前記環状金具１５の他の二辺を成すＶ字型の対向片１５ａ，１５ａで同一軸上に保持されている。このため、支持軸５は、前記対向部５ａ，５ａの隙間が押し広げられて（あるいは、あらかじめ押し広げられた状態で形成されていてもよい）、その各対向部５ａ，５ａが貫通孔４の両側から対向して挿入され、挿入後、その押し広げられた対向部５ａ，５ａが狭められて、支持軸５は、図３に示すように、貫通孔４内においてその貫通孔４の内周面に支持されて軸心周り回転可能となる。その回転の向きを、図４（ａ）（ｂ）に矢印Ａで示す。
この支持軸５は、その両端に前記対向片１５ａ，１５ａが連結されているので、その対向片１５ａが親骨２の端面に当接することにより支持軸５は抜け止めされる。
【００２３】
また、支持軸５には、装飾紐１０を取り付ける係止具７が取り付けられる。係止具７は、図５に示すように、対向する対の挟持片７ａ，７ａを有しており、その挟持片７ａ，７ａの先端歯７ｃ，７ｃが、多数枚重ねられたリボン１１からなる装飾紐１０をその厚さ方向に挟んで掴むようになっているので、取り付け容易である。
その係止具７の前記対向する対の挟持片７ａ，７ａの基部において、前記環状金具１５に係合する係合部７ｂが設けられている。この係合部７ｂが、図３に示すように、環状金具１５の前記対の対向片１５ａ，１５ａの取付部１５ｂに係合し、係止具７は、前記支持軸５に対しその軸方向に沿って回転可能となる。その回転の向きを、図４（ａ）（ｂ）に矢印Ｂで示す。
この取付部１５ｂは、環状金具１５において、前記支持軸５に対向する鋭角を成し、その内周縁が弧状を成しているので、係止具７は、図４（ａ）に示すように、装飾紐１０が外側になびいている状態において、図中矢印Ｂのように、扇面６の弧状縁６ａに沿う方向に回転しやすくなる。なお、同時に、係止具７は、図中矢印Ｃのように、扇面６の弧状縁６ａに交わる方向へも回転可能である。
【００２４】
この実施形態の作用について説明すると、この舞扇１の要３の部分を手に持って、その持つ手を、中央の中骨９の軸周りに回転させると、舞扇１は、図２に矢印Ｒに示すように回転する。また、その舞扇１は、軸周りに回転するのに加えて、適宜、矢印Ｄに示す水平方向、又はそれに直交する水平方向、さらに、矢印Ｅに示す上下方向、矢印Ｆに示す扇面６を傾ける方向、若しくは、それらを組み合わせたねじりの方向への動作が加えられ、その動作により各種踊りの表現が成される。
【００２５】
前記各方向への舞扇１の動きに合わせてその装飾紐１０の挙動が変化し、その装飾紐１０に遠心力が作用すれば、装飾紐１０は、図２に示すように外側にむかってなびくとともに、支持軸５は、貫通孔４内においてその軸心周りに回転し、係止具７は、図４（ａ）に矢印Ａで示す方向に沿って外側へと移動する。また、その係止具７は、前記係合部７ｂと前記取付部１５ｂとの係合部分を回転中心として支持軸５の軸方向に沿って回転し、すなわち、図中矢印Ｂで示す方向に沿って上方へと移動する。また、適宜、矢印Ｃで示す方向へも回転する。
【００２６】
このように、装飾紐１０が外側になびく際に、支持軸５が回転することにより、係止具７が外側へと移動し、その移動により、装飾紐１０は要３の部分を中心とする外側方向へとなびきやすくなる。また、係止具７が、前記支持軸５に対しその軸方向に沿って回転することにより、装飾紐１０は、舞扇１の外側方向へとなびいた状態において、その扇面６の弧状縁６ａに沿う方向、あるいは、扇面６の弧状縁６ａに交わる方向へと揺動しやすくなる。このため、装飾紐１０の動きがより多様化するので、さらに華やかな雰囲気を演出することができる。また、装飾紐１０の回転軸５への取り付けに係止具７を用いることは、その取り付け部分の美観上も好ましいものとなる。
【００２７】
この実施形態では、貫通孔４は、親骨２の長さ方向に直交し、且つ前記舞扇１の扇面６に沿って形成したが、この実施形態には限定されず、前記矢印Ａ方向への回転方向は多少変化するが、その貫通孔４の向きは、親骨２の長さ方向に交差する向きであれば自由である。また、前記矢印Ｂ，Ｃ方向への回転方向は変わるが、その貫通孔４が扇面６に沿わず、例えば、扇面６を貫通する方向であってもよい。
また、他の実施形態として、係止具７を、前記支持軸５に対しその軸方向に沿って回転可能とする機構を省略してもよい。具体的には、環状金具１５と係止具７とを不動に固定したような態様が考えられる。また、支持軸５の構成も自由であり、この実施形態で示す環状金具１５に限定されるものではない。
【図面の簡単な説明】
【００２８】
【図１】一実施形態の全体斜視図
【図２】図１の動作方向を示す図
【図３】親骨先端付近の詳細図
【図４】可動部の動きを説明する作用図で、（ａ）は開いた状態（ｂ）は閉じた状態
【図５】係止具の詳細図
【図６】従来の扇子を示し、（ａ）は親骨先端付近の詳細図、（ｂ）は要部断面図
【符号の説明】
【００２９】
１  舞扇
２，２２  親骨
３  要
４  貫通孔
５  支持軸
６，２６  扇面
６ａ  弧状縁
７  係止具
８ａ  山折り部
８ｂ  谷折り部
９  中骨
１０，２０  装飾紐
【図１】
0003110390.tif 000003
【図２】
0003110390.tif 000004
【図３】
0003110390.tif 000005
【図４】
0003110390.tif 000006
【図５】
0003110390.tif 000007
【図６】
0003110390.tif 000008
【手続補正書】
【提出日】平成17年3月18日(2005.3.18)
【手続補正１】
【補正対象書類名】実用新案登録請求の範囲
【補正対象項目名】請求項２
【補正方法】変更
【補正の内容】
【請求項２】
前記装飾紐１０は、両側の前記親骨２に取り付けられることを特徴とする請求項１に記載の舞扇。